(57)【要約】【課題】最適な省エネ効果とコスト低下効果を備える軽量鉄骨フレームに用いる照明具を提供する。【解決手段】軽量鉄骨フレームに用いる照明具は、パネル1、出光板2、散熱カバー3、LEDランプバー4からなり、パネル1には開孔11を設置し、出光板2はパネル1に固定し、しかも開孔11位置に対応して覆い、散熱カバー3は出光板2に対応し、しかも取り外し可能状にパネル1に設置され、散熱カバー3は頂点板31と頂点板31に連接する囲み板32を備え、囲み板32は相互に対応して設置する一対の側斜板321、一対の側斜板321に隣接する一対の側板322を備え、一対の側斜板321の頂点板31から離れた一端の幅は、頂点板31に近接する一端の幅より大きく、LEDランプバー4は頂点板31の内面311にぴったりと接触する。【選択図】図４
0003179892.tif 000002
【実用新案登録請求の範囲】
【請求項１】
軽量鉄骨フレームに用いる照明具は、パネル、少なくとも１個の出光板、少なくとも１個の散熱カバー、少なくとも１個のLEDランプバーからなり、
該パネルには、少なくとも１個の開孔を設置し、
該出光板は、該パネルに固定し、しかも該開孔位置に対応して覆い、
該散熱カバーは、該出光板に対応し、しかも取り外し可能状に該パネル上に設置し、該散熱カバーは、頂点板、及び該頂点板に連接する囲み板を備え、
該囲み板は、相互に対応して設置する一対の側斜板、該一対の側斜板に隣接する一対の側板を備え、該一対の側斜板の該頂点板から離れた一端の幅は、該頂点板に近接する一端の幅より大きく、
該LEDランプバーは、該頂点板の内面にぴったりと接触することを特徴とする軽量鉄骨フレームに用いる照明具。
【請求項２】
前記散熱カバーは、底が広く、頂点へと徐々に狭くなる台形状で、
該LEDランプバーは、細長い板状で、
該散熱カバーの該頂点板の内面は、該LEDランプバーと相対する長い平面状であることを特徴とする請求項１に記載の軽量鉄骨フレームに用いる照明具。
【請求項３】
前記散熱カバーの囲み板の内面はすべて、反射面であることを特徴とする請求項１に記載の軽量鉄骨フレームに用いる照明具。
【請求項４】
前記出光板は、光透過板であることを特徴とする請求項１に記載の軽量鉄骨フレームに用いる照明具。
【請求項５】
前記出光板は、相互に重なって接続する導光膜と拡散膜により構成することを特徴とする請求項１に記載の軽量鉄骨フレームに用いる照明具。
【請求項６】
前記散熱カバーの外側には、起動回路ユニットを固定し、
該起動回路ユニットは、該LEDランプバーに電気的に連接することを特徴とする請求項１に記載の軽量鉄骨フレームに用いる照明具。
【請求項７】
前記パネルは、該開孔位置に対応して突出する内フランジを備え、
該出光板は、該パネルの内フランジ上に固定することを特徴とする請求項１に記載の軽量鉄骨フレームに用いる照明具。
【請求項８】
前記パネルは、該開孔位置と相対する上フランジを備え、
該上フランジには、多数の弾性嵌合部を設置し、
該散熱カバーの囲み板には、該各弾性嵌合部と相対する多数の嵌合孔を設置し、
該パネルの各弾性嵌合部は、該散熱カバーの囲み板の各嵌合孔に弾性係合することを特徴とする請求項１に記載の軽量鉄骨フレームに用いる照明具。
【請求項９】
前記囲み板の各嵌合孔は、該一対の側斜板の該頂点板から離れた一端に設置することを特徴とする請求項８に記載の軽量鉄骨フレームに用いる照明具。
【考案の詳細な説明】
【技術分野】
【０００１】
本考案は照明具に関し、特に軽量鉄骨フレームに用いる照明具に関する。
【背景技術】
【０００２】
LED(Light-Emitting Diode、発光ダイオード)パーツを発光源とし、しかも天井の軽量鉄骨フレーム上に設置する照明具は、図１に示すように、枠フレーム8、及び多数のLEDパーツ91を配置する回路板9を備える。
枠フレーム8中空状を呈し、しかも下向きの方形開口81を備える。
枠フレーム8は、扁平方形体で、回路板9は方形で、しかも枠フレーム8の内頂面に固定する。
枠フレーム8の方形開口81には、さらに透明板(図示なし)を結合する。
【０００３】
上記した従来の照明具は、照明を提供することはできるが、その枠フレーム8の体積が大きいため、材料の浪費を招いており、必然的にコストも高めである。
さらに、従来の照明具は、輝度を上げるため、多くのLEDパーツ91を密集させて配置する。
これにより、エネルギー消費が高くなり、省エネニーズに応えることができず、またその光線の照射範囲を拡大することができない。
本考案は、従来の軽量鉄骨フレームに用いる照明具の上記した欠点に鑑みてなされたものである。
【先行技術文献】
【特許文献】
【０００４】
【特許文献１】登録実用新案第３１５９１５５号公報
【考案の概要】
【考案が解決しようとする課題】
【０００５】
本考案が解決しようとする課題は、散熱カバーの体積が比較的小さく、LEDランプバーが比較的少なくても、従来の構造と相同の照射範囲を維持でき、最適な省エネ効果とコスト低下効果を備える軽量鉄骨フレームに用いる照明具を提供することである。
【課題を解決するための手段】
【０００６】
上記課題を解決するため、本考案は下記の軽量鉄骨フレームに用いる照明具を提供する。
軽量鉄骨フレームに用いる照明具は、パネル、少なくとも１個の出光板、少なくとも１個の散熱カバー、少なくとも１個のLEDランプバーからなり、
該パネルには、少なくとも１個の開孔を設置し、
該出光板は、該パネルに固定し、しかも該開孔位置に対応して覆い、
該散熱カバーは、該出光板に対応し、しかも取り外し可能状に該パネル上に設置し、該散熱カバーは、頂点板、及び該頂点板に連接する囲み板を備え、
該囲み板は、相互に対応して設置する一対の側斜板、該一対の側斜板に隣接する一対の側板を備え、該一対の側斜板の該頂点板から離れた一端の幅は、該頂点板に近接する一端の幅より大きく、
該LEDランプバーは、該頂点板の内面にぴったりと接触する。
本考案は以下の特徴を有する。
（１）軽量鉄骨フレームに用いる照明具は、パネル、少なくとも１個の出光板、少なくとも１個の散熱カバー、少なくとも１個のLEDランプバーからなり、
該パネルには、少なくとも１個の開孔を設置し、
該出光板は、該パネルに固定し、しかも該開孔位置に対応して覆い、
該散熱カバーは、該出光板に対応し、しかも取り外し可能状に該パネル上に設置し、該散熱カバーは、頂点板、及び該頂点板に連接する囲み板を備え、
該囲み板は、相互に対応して設置する一対の側斜板、該一対の側斜板に隣接する一対の側板を備え、該一対の側斜板の該頂点板から離れた一端の幅は、該頂点板に近接する一端の幅より大きく、
該LEDランプバーは、該頂点板の内面にぴったりと接触することを特徴とする軽量鉄骨フレームに用いる照明具。
（２）前記散熱カバーは、底が広く、頂点へと徐々に狭くなる台形状で、
該LEDランプバーは、細長い板状で、
該散熱カバーの該頂点板の内面は、該LEDランプバーと相対する長い平面状であることを特徴とする（１）に記載の軽量鉄骨フレームに用いる照明具。
（３）前記散熱カバーの囲み板の内面はすべて、反射面であることを特徴とする（１）に記載の軽量鉄骨フレームに用いる照明具。
（４）前記出光板は、光透過板であることを特徴とする（１）に記載の軽量鉄骨フレームに用いる照明具。
（５）前記出光板は、相互に重なって接続する導光膜と拡散膜により構成することを特徴とする（１）に記載の軽量鉄骨フレームに用いる照明具。
（６）前記散熱カバーの外側には、起動回路ユニットを固定し、
該起動回路ユニットは、該LEDランプバーに電気的に連接することを特徴とする（１）に記載の軽量鉄骨フレームに用いる照明具。
（７）前記パネルは、該開孔位置に対応して突出する内フランジを備え、
該出光板は、該パネルの内フランジ上に固定することを特徴とする（１）に記載の軽量鉄骨フレームに用いる照明具。
（８）前記パネルは、該開孔位置と相対する上フランジを備え、
該上フランジには、多数の弾性嵌合部を設置し、
該散熱カバーの囲み板には、該各弾性嵌合部と相対する多数の嵌合孔を設置し、
該パネルの各弾性嵌合部は、該散熱カバーの囲み板の各嵌合孔に弾性係合することを特徴とする（１）に記載の軽量鉄骨フレームに用いる照明具。
（９）前記囲み板の各嵌合孔は、該一対の側斜板の該頂点板から離れた一端に設置することを特徴とする（８）に記載の軽量鉄骨フレームに用いる照明具。
【考案の効果】
【０００７】
本考案の軽量鉄骨フレームに用いる照明具は、散熱カバーを台形状に設計することで、体積を縮小できコストを低下させられる他、LEDランプバーを散熱カバーの内頂面(すなわち、頂点板の内面)に固定することで照明高度を高められ、散熱カバーはさらに台形状の形状により光導引作用を備えるため、照射範囲拡大の効果を備える。
すなわち、散熱カバーの体積が比較的小さく、LEDランプバーが比較的少なくとも、従来の構造と相同の照射範囲を維持でき、こうして最適な省エネ効果と降低コスト効果を達成することができる。
【図面の簡単な説明】
【０００８】
【図１】従来の照明具の立体図である。
【図２】本考案照明具の立体分解図である。
【図３】本考案照明具を組合せ後の、軽量鉄骨フレームとの間の関係図である。
【図４】図３に示す組合せ後の断面模式図である。
【図５】本考案の別種の実施例の断面模式図である。
【考案を実施するための形態】
【０００９】
以下に図面を参照しながら本考案を実施するための最良の形態について詳細に説明する。
【実施例】
【００１０】
図２〜４に示すように、本考案軽量鉄骨フレームに用いる照明具は、LEDパーツ41を発光源とし、しかも天井の軽量鉄骨フレーム5上に設置し、パネル1、出光板2、散熱カバー3、LEDランプバー4からなる。
【００１１】
該パネル1は、矩形板片で、しかも開孔11を設置し、該出光板2は、該パネル1に固定し、しかも該開孔11位置に対応して覆う。
【００１２】
図に示すように、該パネル1は、該開孔11位置に対応して突出する圈内フランジ111を備え、該出光板2は、該パネル1の内フランジ111上に固定する。
【００１３】
また、該出光板2は、光透過で、或いは相互に重なって接続する導光膜と拡散膜(図示なし)により構成する板体。
【００１４】
該散熱カバー3は、該出光板2に対応し、しかも取り外し可能状に該パネル1上に設置する。
【００１５】
該散熱カバー3は、頂点板31と該頂点板31に連接する囲み板32を備え、該囲み板32は、相互に対応して設置する一対の側斜板321、該一対の側斜板321に隣接する一対の側板322を備える。
【００１６】
しかも、該一対の側斜板321の該頂点板31から離れた一端(すなわち、該一対の側斜板の下端)の幅は、該頂点板31に近い一端(すなわち、該一対の側斜板の上端)の幅(図４参照)より大きい。
【００１７】
該頂点板31は、内面311を備え、該一対の側斜板321と該一対の側板322の下端の間には、底開口33を形成する。
【００１８】
図示のように、該パネル1上にはさらに、該開孔11位置と対応する上フランジ12を備え、該上フランジ12には、該多数の弾性嵌合部121を設置する。
【００１９】
該散熱カバー3の囲み板32には、該各弾性嵌合部121と対応する多数の嵌合孔323を設置する。
【００２０】
図示のように、該各嵌合孔323は、該一対の側斜板321の下端に設置し、これにより該パネル1の該各弾性嵌合部121は、取り外し可能な方式で、該一対の側斜板321の該各嵌合孔323に弾性係合し、すなわち該散熱カバー3は、該弾性嵌合部121が該嵌合孔323に係合することにより、取り外し可能状に該パネル1に設置される。
【００２１】
また、該散熱カバー3の囲み板32の内面はすべて、反射面320で、これにより光線は、該散熱カバー3内において、最適な光反射効果を備え、輝度を上げることができる。
【００２２】
該散熱カバー3の長さは、図示のように、該パネル1の長さ相同(または、それより短い)である。
【００２３】
該パネル1は、正方形或いは長方形等の各種形状の板片で、該散熱カバー3の俯視或いは仰視時の形状は、長方形(２個の長辺と２個の短辺を備える)である。
【００２４】
該散熱カバー3の一方の短辺から見ると、底面(底開口33)が広く、頂点(頂点板31)が徐々に狭くなる台形状を呈し、これにより該散熱カバー3の頂点板31の内面311と該出光板2との間には、図４に示す高度Hを備える。
【００２５】
該LEDランプバー4は、細長い板を呈し、しかも熱を発する多数のLEDパーツ41を配置する。
【００２６】
該頂点板31の内面311形状は、該LEDランプバー4と相対する長平面状で、これにより該LEDランプバー4は、該頂点板31の内面311にぴったりと接触する。
【００２７】
すなわちこれにより、該LEDランプバー4と該頂点板31の内面311とは、大面積の面接触を形成し、比較的高い導熱効率を備えるため、該LEDパーツ41が発する熱を金属材料で製造する散熱カバー3に迅速に伝え、散熱することができる。
【００２８】
また、該散熱カバー3の外側には、起動回路ユニット5を固定し、該起動回路ユニット5は、該LEDランプバー4に電気的に連接し、該LEDランプバー4上のLEDパーツ41を制御する。
【００２９】
図４に示すように、該LEDランプバー4は、該頂点板31の内面311に固定され、該出光板2との間に、前記高度Hを備えるため、本考案照明具のLEDランプバー4の所在高度は、従来の構造より高くなる。
【００３０】
加えて、該LEDランプバー4所在の頂点板31から、該出光板2所在の底開口33までは、頂店が狭く徐々に広くなる台形状を呈するため、光散射の光導引作用に有利である。
【００３１】
こうして、本考案照明具は、照射範囲拡大の機能を備え、すなわち散光性に優れている。
【００３２】
さらに、該囲み板32の内面はみな反射面320であるため、該散熱カバー3は、光反射機能を兼ね備え、これにより光線は、該散熱カバー3内において、最適な光反射効果を備え、輝度を高めることができる。
【００３３】
図５に示す本考案照明具の別種の実施例の、上記した実施例(図２〜４参照)との差異は、以下の通りである。
【００３４】
パネル1に、複数の開孔11(図所は２個の開孔11)を設置し、複数の出光板2を該パネル1にそれぞれ固定し、しかも該各開孔11位置に対応して覆う。
【００３５】
複数の散熱カバー3は、該各出光板2にそれぞれ対応し、しかも取り外し可能状に該パネル1上に設置され、複数のLEDランプバー4は、該各散熱カバー3の頂点板31の内面311にそれぞれぴったりと接触する。
【００３６】
複数の起動回路ユニット42は、該各散熱カバー3上にそれぞれ固定し、しかも該散熱カバー3内のLEDランプバー4と電気的に連接し、こうして、単一のパネル1は同時に、複数のLEDランプバー4を備え照明として使用される。
【００３７】
また、該散熱カバー3、該LEDランプバー4、該起動回路ユニット42は、組合せてモジュール化した照明モジュールとでき、こうして該複数の照明モジュールを、モジュール化して該パネル1に組み立て、しかも該各開孔11位置にそれぞれ対応して覆い、組み立てが便利となり、さらに組み立てにおける時間と労力を節減することができる。
【００３８】
上記したように、本考案軽量鉄骨フレームに用いる照明具は、散熱カバー3を、従来構造の矩形体状ではなく、台形状に設計するため、従来の技術に比べ、体積を縮小できるばかりか、製造時の材料使用を減らすことができる。
【００３９】
こうして、コストを低下させられる他、該LEDランプバー4を、該散熱カバー3の頂点板31の内面311に固定し、こうして照明高度(高度H)を高め、さらに該散熱カバー3は散熱機能を備える他、台形状の形状(狭い上部が徐々に広がる)により、光散射の光導引作用に有利である。
【００４０】
こうして、照射範囲拡大の効果(最適な散光性)を備え、すなわち、本考案照明具は、より小さい散熱カバー3体積と比較的少ないLEDランプバー4と比較的少ないLEDパーツ41により、従来の構造と相同の照射範囲を維持でき、最適な省エネ効果とコスト低下効果を確実に備える。
【００４１】
さらに、該散熱カバー3の囲み板32の内面はみな反射面320であるため、該散熱カバー3は散熱と光導引の効果を備える他、光反射機能をも兼ね備え、こうして光線は散熱カバー3内で最適な光反射効果を備え、さらに輝度を高め、光照射性能を高めることができる。
【００４２】
該散熱カバー3の囲み板32の内面はみな、輝度を高めることができる反射面320であるため、別に反射片を増設する必要がなく、コストを削減することができる。
【００４３】
該LEDランプバー4と該散熱カバー3の頂点板31の内面311との間は、大面積の面接触で、比較的高い導熱効率を備える。
【００４４】
こうして、該LEDパーツ41が発する熱を、金属材料で製造する散熱カバー3に伝え、迅速に散熱することができる。
【００４５】
該散熱カバー3、該LEDランプバー4、該起動回路ユニット42を、組合せてモジュール化した照明モジュールとできるため、該複数の照明モジュールを、モジュール化して該パネル1に組み立て、しかも該各開孔11位置にそれぞれ対応して覆うことができ、組み立てが便利となり、さらに組み立てにおける時間と労力を節減することができる。
【００４６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４８】
1  パネル
11  開孔       
111  内フランジ
12  上フランジ       
121  弾性嵌合部
2  出光板
3  散熱カバー
31  頂点板         
311  内面
32  囲み板         
320  反射面        
321  側斜板
322  側板          
323  嵌合孔
33  底開口
4  LEDランプバー
41  LEDパーツ      
42  起動回路ユニット
5  軽量鉄骨フレーム
H  高度
8  枠フレーム 
81  方形開口
9  回路板
91  LEDパーツ
【図１】
0003179892.tif 000003
【図２】
0003179892.tif 000004
【図３】
0003179892.tif 000005
【図４】
0003179892.tif 000006
【図５】
0003179892.tif 000007